(57)【特許請求の範囲】
【請求項１】
注文対象となるアイテムを示すアイテム情報を記憶するアイテムデータベースと，各利用者によって前記アイテムデータベースから選択されたアイテムを管理するアイテム管理情報を記憶する棚情報データベースとを備えるコンピュータが行うアイテム注文処理方法であって，
アイテムの内容を示す情報と，前記アイテムのイメージ情報と，前記アイテムの注文先を示す店情報と，前記アイテムの注文処理プログラムとを含むアイテム情報が記憶されている前記アイテムデータベースにアクセスし，前記アイテムの情報にもとづいて，ネットワークで接続されている利用者の端末に一または複数のアイテムを表示させるためのアイテム画面情報を作成し，前記端末へ前記アイテム画面情報を送信するアイテム情報送信処理過程と，
利用者が選択したアイテムについての前記アイテムデータベースのアイテム情報へのリンク情報と，当該アイテムの注文条件と，前記利用者の指定に応じて複数のアイテムをグループとして設定したグループ設定とが設定されたアイテム管理情報が記憶されている前記棚情報データベースにアクセスし，前記アクセス管理情報のリンク情報をもとに，前記アイテムデータベースから利用者によって選択されているアイテムのイメージ情報を取得し，前記端末に当該選択されたアイテムを前記グループ設定にもとづいて配置する棚を表示させるための棚画面情報を作成し，前記端末へ前記棚画面情報を送信する棚情報送信処理過程と，
前記棚画面情報にグループとして設定された複数のアイテムが表示されている場合に，前記グループを構成する一つのアイテムが注文対象として選択されたときは，同一グループのすべてのアイテムを注文対象とし，前記注文対象のアイテムのリンク情報をもとに，前記アイテムデータベースの当該アイテム情報の注文処理プログラムを起動し，当該アイテムの注文条件を用いて注文処理を行う注文処理起動処理過程とを備える
ことを特徴とするアイテム注文処理方法。
【請求項２】
請求項１に記載のアイテム注文処理方法において，
前記端末において前記アイテム画面情報のアイテムが前記棚画面情報へ移動されたときに，前記棚情報データベースの前記アイテム管理情報に当該移動されたアイテムのアイテム情報へのリンク情報を追加する処理を，前記棚画面情報のアイテムが削除されたときに，前記棚情報データベースの前記アイテム管理情報から当該削除されたアイテムに関する情報を削除する処理を行う棚情報データベース更新処理過程とを備える
ことを特徴とするアイテム注文処理方法。
【請求項３】
請求項１に記載のアイテム注文処理方法において，
前記アイテムデータベースに，アイテムの仕様を示す情報と，前記アイテムのイメージ情報と，前記アイテムの複数の注文先を示す店情報とを含むアイテム情報が記憶されている場合に，
前記注文処理起動処理過程では，前記棚画面情報から選択された注文対象のアイテムのアイテム管理情報の注文条件をもとに，前記アイテムのアイテム情報の前記店情報の注文先に対して見積もりを要求する見積もり処理を行い，
前記注文先から取得した見積もりの回答と，前記アイテム管理情報の注文条件とを比較し，当該注文条件に最も合致した注文先を特定し，前記アイテムの注文処理プログラムを起動して，前記特定された注文先に対して注文処理を行う
ことを特徴とするアイテム注文処理方法。
【請求項４】
請求項３に記載のアイテム注文処理方法において，
前記棚情報データベースのアイテム管理情報は，注文処理を行わない注文先を示す排除店情報を含むものであり，
前記注文処理起動処理過程では，前記注文対象として選択されたアイテムの見積もりを要求する場合に，前記排除店情報の注文先を前記見積もりの要求先から除外して見積もり処理を行う
ことを特徴とするアイテム注文処理方法。
【発明の詳細な説明】
【０００１】
【発明の属する技術分野】
本発明は，アイテム注文処理方法およびアイテム処理起動処理方法に関し，さらに具体的には，ネットワークで接続された端末からの利用者のアイテム選択指示により，そのアイテムの注文処理やアイテムに対応付けられたその他の処理の起動処理を行う方法に関する。
【０００２】
【従来の技術】
インターネットを利用して例えば商品などのアイテムを注文する場合に，利用者は，まずそのアイテムを扱うショップサイト（店）を探し，さらにショップサイト内で商品を探して注文していた。
【０００３】
【発明が解決しようとする課題】
しかし，かかる従来の注文方法では，利用者は何度も操作を繰り返して目的のアイテムにたどり着く必要がある。オンライン・カタログを使った検索や発注が可能なショップサイト（店）もあるが，従来のような方法を用いても，利用者は目的のアイテムや希望に見合う価格がみつかるまでいくつものウェブ（Ｗｅｂ）サイトを行きつ戻りつしながら調べなければならない。
【０００４】
しかも，店ごとに注文操作の画面の構成が異なっていることが多く，また検索手順や注文手順も異なっているため，利用者にとっては注文を行うまでの操作手順を店ごとに覚えなければならず煩わしかった。
【０００５】
また，利用者は，お気に入りの店をウェブブラウザのブックマーク等を用いて管理することもできるが，管理できるのはショップサイト（店）の場所までであり，アイテムを直接管理することは困難であった。
【０００６】
また，最低価格のところに注文したい場合には，複数の店を検索して，価格を参照・比較した後でなければアイテムを注文することはできなかった。
【０００７】
一方，店側にとっても，利用者が一度注文したアイテムを次回も注文するかどうかは不明である。利用者の注文動機（価格が安い，納品が早い等）は不明であり，今回注文したから次回も注文するであろうと推測するにすぎなかった。
【０００８】
また，注文処理に限らず，ウェブサイトが，例えば予定表やＴＯＤＯリストというような個人データ管理などの各種の処理機能を提供しているときに，そのウェブサイトにアクセスし，その処理機能を利用するまでの操作が煩雑であるという問題があった。
【０００９】
本発明は，上記のような問題点を解消すべく，各店における注文操作の相違に関わらず，利用者が簡単な操作で効率的にアイテムを注文できるような方法を提供することを目的とする。
【００１０】
また，本発明は，店側にとっても利用者の注文行動の履歴などを活用して効果的な販売活動を行うことができるようなアイテムの注文処理方法を提供することを目的とする。
【００１１】
また，本発明は，利用者が，頻繁に利用するようなウェブサイトで提供される処理を簡易に起動できるようなアイテム処理起動処理方法を提供することを目的とする。
【００１２】
【課題を解決するための手段】
上記問題を解決し目的を達成するため，本発明は，注文または処理の起動が可能なアイテムの一覧から，利用者が予め自分専用に用意された棚にアイテムを選択して配置できるようにし，棚に配置されたアイテムの操作によって簡易に注文や処理の起動を行えるようにしたことを特徴とする。
【００１３】
本発明は，注文対象となるアイテムを示すアイテム情報を記憶するアイテムデータベースと，各利用者によってアイテムデータベースから選択されたアイテムを管理するアイテム管理情報を記憶する棚情報データベースとを備えるコンピュータが行うアイテム注文処理方法であって，以下の処理過程を備える。
【００１４】
本発明にかかる方法は，アイテムの内容を示す情報と，前記アイテムのイメージ情報と，前記アイテムの注文先を示す店情報と，前記アイテムの注文処理プログラムとを含むアイテム情報が記憶されているアイテムデータベースにアクセスし，前記アイテムの情報にもとづいて，ネットワークで接続されている利用者の端末に一または複数のアイテムを表示させるためのアイテム画面情報を作成し，端末へアイテム画面情報を送信するアイテム情報送信処理過程を備える。
【００１５】
また，利用者が選択したアイテムについての前記アイテムデータベースのアイテム情報へのリンク情報と，当該アイテムの注文条件と，前記利用者の指定に応じて複数のアイテムをグループとして設定したグループ設定とが設定されたアイテム管理情報が記憶されている棚情報データベースにアクセスし，アクセス管理情報のリンク情報をもとに，アイテムデータベースから利用者によって選択されているアイテムのイメージ情報を取得し，端末に当該選択されたアイテムを前記グループ設定にもとづいて配置する棚を表示させるための棚画面情報を作成し，端末へ棚画面情報を送信する棚情報送信処理過程を備える。
【００１６】
さらに，前記棚画面情報にグループとして設定された複数のアイテムが表示されている場合に，前記グループを構成する一つのアイテムが注文対象として選択されたときは，同一グループのすべてのアイテムを注文対象とし，前記注文対象のアイテムのリンク情報をもとに，前記アイテムデータベースの当該アイテム情報の注文処理プログラムを起動し，当該アイテムの注文条件を用いて注文処理を行う注文処理起動処理過程とを備える。
【００１７】
本発明を実行するコンピュータは，アイテムの内容を示す情報と，前記アイテムのイメージ情報と，前記アイテムの注文先を示す店情報と，前記アイテムの注文処理プログラムとを含むアイテム情報が記憶されている前記アイテムデータベースにアクセスする。そして，アイテムの情報にもとづいて，ネットワークで接続されている利用者の端末に一または複数のアイテムを表示させるためのアイテム画面情報を作成し，当該端末へアイテム画面情報を送信する。
【００１８】
そして，利用者が選択したアイテムについてのアイテムデータベースのアイテム情報へのリンク情報と，当該アイテムの注文条件と，前記利用者の指定に応じて複数のアイテムをグループとして設定したグループ設定とが設定されたアイテム管理情報が記憶されている前記棚情報データベースにアクセスする。アクセス管理情報のリンク情報をもとに，アイテムデータベースから利用者によって選択されているアイテムのイメージ情報を取得し，端末に当該選択されたアイテムを前記グループ設定にもとづいて配置する棚を表示させるための棚画面情報を作成し，端末へ棚画面情報を送信する。
【００１９】
さらに，棚画面情報にグループとして設定された複数のアイテムが表示されている場合に，前記グループを構成する一つのアイテムが注文対象として選択されたときは，同一グループのすべてのアイテムを注文対象とし，前記注文対象のアイテムのリンク情報をもとに，前記アイテムデータベースの当該アイテム情報の注文処理プログラムを起動し，当該アイテムの注文条件を用いて注文処理を行う。
【００２０】
さらに，本発明は，端末においてアイテム画面情報のアイテムが棚画面情報へ移動されたときに，棚情報データベースのアイテム管理情報に当該移動されたアイテムのアイテム情報へのリンク情報を追加する処理を，棚画面情報のアイテムが削除されたときに，棚情報データベースのアイテム管理情報から当該削除されたアイテムに関する情報を削除する処理を行う棚情報データベース更新処理過程とを備えてもよい。
【００２１】
本発明は，棚画面情報にグループとして設定された複数のアイテムが表示されている場合に，前記グループを構成する一つのアイテムが注文対象として選択されたときは，同一グループのすべてのアイテムを注文対象として注文処理を行うことができる。
【００２２】
また，本発明は，前記アイテムデータベースに，アイテムの仕様を示す情報と，前記アイテムのイメージ情報と，前記アイテムの複数の注文先を示す店情報とを含むアイテム情報が記憶されている場合に，前記注文処理起動処理過程では，前記棚画面情報から選択された注文対象のアイテムのアイテム管理情報の注文条件をもとに，前記アイテムのアイテム情報の前記店情報の注文先に対して見積もりを要求する見積もり処理を行い，前記注文先から取得した見積もりの回答と，前記アイテム管理情報の注文条件とを比較し，当該注文条件に最も合致した注文先を特定し，前記アイテムの注文処理プログラムを起動して，前記特定された注文先に対して注文処理を行うことができる。
【００２３】
また，本発明の棚情報データベースのアイテム管理情報は，注文処理を行わない注文先を示す排除店情報を含むものであり，前記注文処理起動処理過程では，前記注文対象として選択されたアイテムの見積もりを要求する場合に，前記排除店情報の注文先を前記見積もりの要求先から除外して見積もり処理を行うことができる。
【００２４】
なお，本発明に関連する発明は，処理対象となるアイテムを示すアイテム情報を記憶するアイテムデータベースと，各利用者によって前記アイテムデータベースから選択されたアイテムを管理するアイテム管理情報を記憶する棚情報データベースとを備えるコンピュータが行うアイテム処理起動処理方法であって，以下の処理過程を備えるものである。
【００２５】
当該関連発明は，アイテムの処理内容を示す情報と，前記アイテムの処理内容を実行する処理プログラムとを含むアイテム情報が記憶されているアイテムデータベースにアクセスし，アイテムの情報にもとづいて，ネットワークで接続されている利用者の端末に一または複数のアイテムを表示させるためのアイテム画面情報を作成し，端末へアイテム画面情報を送信するアイテム情報送信処理過程と，利用者が選択したアイテムの前記アイテムデータベースのアイテム情報へのリンク情報が設定されたアイテム管理情報が記憶されている前記棚情報データベースにアクセスし，前記アクセス管理情報のリンク情報をもとに，前記アイテムデータベースから利用者によって選択されているアイテムを配置する棚を表示させるための棚画面情報を作成し，前記端末へ前記棚画面情報を送信する棚情報送信処理過程と，前記棚画面情報からアイテムが選択されたときに，当該アイテムのリンク情報をもとに，前記アイテムデータベースの当該アイテムの処理プログラムを起動するアイテム処理起動処理過程とを備える。
【００２６】
このように，本発明では，ドラッグアンドドロップのような簡単なマウス操作によりアイテムを棚画面に配置して登録でき，棚画面には利用者が配置したアイテムが表示される。
【００２７】
また，本発明では，棚画面に配置されたアイテムをクリックなどにより選択するだけで，即時にそのアイテムの注文処理を起動することができる。また複数の注文先がある場合には，アイテムの管理情報と店の情報とにもとづいて自動的に注文条件に合致する店へ注文処理を起動することができる。さらに，オークションによる注文処理を起動することができる。
【００２８】
本発明にかかる方法を実現する各処理過程は，コンピュータにより実行可能である。かかるプログラムは，コンピュータが読み取り可能な，可搬媒体メモリ，半導体メモリ，ハードディスクなどの適当な記録媒体に格納することができ，これらの記録媒体に記録して提供され，または，通信インタフェースを介して種々のネットワークを利用した送受信により提供される。
【００２９】
また，本発明にかかる方法を実現するためのシステムを構成するサーバもしくはクライアントは，種々の通信回線によりもしくは無線により接続するデータ処理装置（ＣＰＵ／メモリ）により実現することが可能である。
【００３０】
【発明の実施の形態】
以下に，本発明の実施の形態を説明する。図１は，実施の一形態において，本発明にかかる方法を実現するためのシステムの構成例を示す図である。
【００３１】
本システムは，仲介サーバ１，クライアント２，アイテムデータベース（ＤＢ）３，棚データベース（ＤＢ）４，から構成されている。仲介サーバ１およびクライアント２と，仲介サーバ１および店サイト５−１〜５−ｎとはインターネットなどのネットワークで接続されている。店サイト５−１〜５−ｎは，ウェブ（Ｗｅｂ）サイトであり，それぞれ自サイトで取り扱う商品などのアイテムを記憶する店アイテムデータベース（ＤＢ）６−１〜６−ｎを備える。
【００３２】
本例において，仲介サーバ１に備えられたアイテムの登録処理やアイテムの注文その他の処理の起動処理を行うサーバサイドプログラム１０は，例えばＪａｖａサーブレット（Javaは，Sun Microsystems Inc. の登録商標）で実現することができる。
【００３３】
クライアント２は，キーボードなどの入力デバイスや，マウス，トラックボールなどのポインティングデバイスを備える。クライアント２に表示されるアイテムブラウザ２２と棚ブラウザ２１とは，ウェブブラウザの機能を持つブラウザである。これらのブラウザは, Ｊａｖａアプレット, ウェブブラウザのプラグイン形式などにより実現することができる。
【００３４】
アイテムブラウザ２２は，アイテムデータベース３に記憶されているアイテム２３を表示するブラウザである。棚ブラウザ２２は，アイテムブラウザ２１から利用者が任意に選択して登録したアイテム２３’を配置する棚を表示するブラウザである。
【００３５】
アイテム２３は，例えばプリンタ，パソコン本体，などの商品を意味するオブジェクトであり，予め定義されたＪａｖａアプレットに対応付けられている。アイテム２３が選択されると，対応するＪａｖａアプレットによって，例えば, そのアイテムの注文処理が起動する。
【００３６】
アイテムデータベース３は，注文対象であるアイテム２３の情報と，アイテム２３を取り扱う店の情報を記憶するデータベースである。アイテムデータベース３では，各店サイト５から収集した店の情報をアイテム２３に対応付けて記憶する。
【００３７】
図２に，アイテムデータベースのデータ構成例を示す。アイテムデータベース３はアイテム情報部３１と店情報部３２とを持つ。
【００３８】
アイテム情報部３１は，アイテムの情報を記憶する領域であり，アイテムＩＤ，アイテムの画像データ，アイテムの詳細な内容情報である商品仕様などが記憶される。
【００３９】
店情報部３２は，そのアイテムを取り扱う店の情報を記憶する領域であり，アイテムごとに，店名，店のＵＲＬ，価格情報，納品日，在庫情報，アイテムや店に関する特記情報などが記憶される。特記情報には，アイテムの割引情報やその店で扱う新商品に関する情報などが記憶される。一つのアイテムに対し一または複数の店の情報が記憶される。
【００４０】
棚データベース４は，利用者の情報と棚ブラウザ２１に利用者が登録したアイテムの管理情報とを記憶するデータベースである。
【００４１】
図３に，棚データベースのデータ構成例を示す。棚データベース４は，利用者管理部４１とアイテム管理部４２とを持つ。
【００４２】
利用者管理部４１は，利用者の情報を記憶する領域であり，利用者の氏名（ユーザ名），連絡先，納入先住所，決済方法などが記憶される。
【００４３】
アイテム管理部４２は，利用者が棚へ登録したアイテムの管理情報およびアイテムの注文条件などを記憶する領域であり，アイテムＩＤ，アイテムデータベース（ＤＢ）へのポインタ，利用者の希望価格，希望納期，注文の数量，即時注文であるかどうかの情報（即時注文情報），注文先として指定する優先店名，注文先から排除する排除店名，注文にかかるアイテムの配送状況等の記録であるアイテム状況などが記憶される。アイテム状況は，そのアイテムの「出荷待」，「配送済」，アイテムの予測残量などの情報が記憶される。利用者が自分の棚にアイテム２３’を登録していない場合には，アイテム管理部４２にはアイテムの管理情報は記憶されない。
【００４４】
システムの動作は以下の通りである。
【００４５】
サーバサイドプログラム１０は，クライアント２から棚の編集要求があると，アイテムブラウザ２２に表示するアイテム２３の情報をアイテムデータベース３から抽出しクライアント２へ送信する。また，棚ブラウザ２１に表示する利用者の棚についての情報（アイテムの管理情報など）を棚データベース４から抽出しクライアント２へ送信する。クライアント２ではアイテムブラウザ２２にアイテムリストを表示し，棚ブラウザ２１に棚を表示する。
【００４６】
利用者が，アイテムブラウザ２２に表示されているアイテムリストから所望するアイテム２３をマウス操作のドラッグなどにより選択して棚ブラウザ２１内でドロップすることにより，選択されたアイテム２３’が利用者の棚へ配置され登録される。このときに，アプレット間通信により，アイテムブラウザ２２から棚ブラウザ２１へアイテム２３の内容がコピーされる。サーバサイドプログラム１０では，アイテム２３’のアイテムＩＤとアイテムデータベース３へのポインタ情報とを，棚データベース４のアイテム管理部４２へ登録する。
【００４７】
その後，利用者がアイテム２３を注文する場合には，サーバサイドプログラム１０では，棚データベース４の利用者に関する情報とアイテムデータベース３へのポインタ情報とを参照して，棚ブラウザ２１にアイテム２３’が配置された利用者の棚を表示する。利用者が，アイテム２３’をクリックすると，アイテム２３’に予め対応付けられたＪａｖａアプレットが起動して，アイテム２３’の注文処理などを実行する。
【００４８】
以下に，本発明の動作をさらに詳しく説明する。
【００４９】
図４に，本発明の実施の形態におけるシステムの構成例を示す。仲介サーバ１は，登録処理手段１１であるアイテム情報送信手段１２，棚情報送信手段１３，棚データベース（ＤＢ）更新手段１４と，アイテム処理起動処理手段１５と，注文ログ収集手段１６とを備える。
【００５０】
アイテム情報送信手段１２は，アイテムデータベース３のアイテム情報部３１からアイテムＩＤ，画像データ，商品仕様などの情報を抽出してアイテムブラウザ２２に表示するためのアイテムブラウザ画面情報を作成し，アイテムブラウザ画面情報をクライアント２へ送信する手段である。
【００５１】
棚情報送信手段１３は，棚データベース４のアイテム管理部４２に記憶された利用者に対応付けられたアイテムＩＤをキーにアイテムデータベース３へのポインタを取得し，取得したポインタによりアイテムデータベース３のアイテム情報部３１の画像データ，商品仕様などの情報を抽出して利用者の棚を棚ブラウザ２１へ表示するための棚ブラウザ画面情報を作成し，クライアント２へ送信する手段である。
【００５２】
棚データベース更新手段１４は，クライアント２のアイテムブラウザ２２のアイテム２３がドラップアンドドロップ（マウス操作によるコピー処理）により棚ブラウザ２１に配置・登録された場合に，または，棚ブラウザ２１に配置されたアイテム２３’が削除された場合に，棚データベース４のアイテム管理部４２の該当するデータを追加しまたは削除する手段である。
【００５３】
具体的には，アイテムブラウザ２２のアイテム２３が棚ブラウザ２１へドロップされると，棚データベース４のアイテム管理部４２へ，ドロップされたアイテム２３’のアイテムＩＤ，アイテムデータベース３のそのアイテムに関する情報へのポインタを設定する。
【００５４】
また，棚データベース更新手段１４は，アイテム２３’に関する希望価格，希望納期，数量，即時注文情報，優先店名，排除店名などの情報の入力や変更を受け付けた場合に，これらの情報を棚データベース４のアイテム管理部４２に登録しまたは変更する。また，棚データベース更新手段１４は，クライアント２から利用者に関する連絡先，納入先住所，決済方法などの情報の入力や変更を受け付けた場合に，これらの情報を棚データベース４のアイテム管理部４２に登録しまたは変更する。
【００５５】
アイテム処理起動処理手段１５は，クライアント２の棚ブラウザ２１のアイテム２３’がクリックなどにより選択された場合に，例えばアイテム２３’の注文処理の起動処理をする手段である。具体的には，アイテム２３’のアイテムＩＤをキーに，アイテムデータベース３の店情報部３２に記憶されている店ＵＲＬ（アイテム２３を取り扱う店サイト５の注文処理のＵＲＬ）へアクセスして必要なパラメータ（希望価格，希望納期，数量，連絡先，納入先住所，決済方法など）を送信する。また，アイテム処理起動処理手段１５は，注文処理以外にも予めアイテム２３’に対応付けられている処理の起動処理を行う。
【００５６】
注文ログ収集手段１６は，注文処理の起動処理が行われた場合に，当該注文処理のログデータを収集し，ログデータを集計処理または分析処理した結果を出力する手段である。
【００５７】
以下に，本発明を登録時の処理と注文時の処理とに分けて，さらに詳しく説明する。
【００５８】
〔登録時の処理〕
図５にログイン画面の例を示す。クライアント２が仲介サーバ１にアクセスすると，図５に示すようなログイン画面がクライアント２に表示される。ユーザ名（ｕｓｅｒＸ）とパスワードが入力されてログインのボタンが操作されると，クライアント２から仲介サーバ１へ棚表示要求，ユーザ名などが通知される。
【００５９】
通知を受けた仲介サーバ１では，アイテム情報送信手段１２により，アイテムデータベース３のアイテム情報部３１から，利用されるアイテムリストにかかるアイテム２３のアイテムＩＤ，画像データ，商品仕様などの情報を抽出してアイテムブラウザ画面情報を作成し，これをクライアント２に送信する。
【００６０】
図６にアイテムブラウザ２２の画面例を示す。アイテムブラウザ２２の画面には，アイテムリスト（アイテムａ，アイテムｂ，アイテムｃ・・・）と，利用するアイテムリストを切り替えるためのリスト選択項目とが表示される。リスト選択項目で利用者によりリストが変更された場合には，アイテム情報送信手段１２から送信された変更したアイテムリストが表示される。
【００６１】
アイテム２３はＪａｖａアプレットに対応づけられており，例えば，アイテムブラウザ２２に表示されたアイテムａの画像データをクリックすることにより，そのＪａｖａアプレットによってアイテムａに関連づけられている店情報部３２の店ＵＲＬにアクセスし，直接アイテムａの注文処理を起動できる。
【００６２】
図７に，アイテムブラウザ２２のアイテムに関する部分のＨＴＭＬコード例を示す。従来では，図７（Ａ）に示すように，アイテムブラウザ２２に表示するページのＨＴＭＬコードにおいて画像データファイルを指定することで，アイテムがウェブブラウザ上に表示されるようにしていた。本発明では，図７（Ｂ）に示すように，アイテム２３’をイメージ（画像データ）の代わりにアプレットとして指定している。これにより，アイテム２３’をクリックするだけで，直ちにアイテム２３’に対応する処理（ここではそのアイテムの注文処理）の起動処理をすることができる。図７（Ｂ）に示す例では，
<PARAM name=''URL'' value=''/examples/servlet/Myshelf''>
は仲介サーバ１の登録処理手段１１を実現するサーブレット１０（図１）を指定する記述であり，
<PARAM name=''ITEMID'' value=''000''>
はアイテムＩＤを指定する記述である。
【００６３】
さらに，仲介サーバ１では，棚情報送信手段１３により，通知されたユーザ名（ｕｓｅｒＸ）をキーに，棚データベース４の利用者管理部４１のユーザ名を検索し，アイテム管理部４２に記憶されているその利用者に対応付けられたアイテムＩＤとアイテムデータベース３へのポインタにより，棚に配置されたアイテム２３’の画像データや商品仕様をアイテムデータベース３から抽出して棚ブラウザ画面を作成し，これをクライアント２へ送信する。
【００６４】
図８に棚ブラウザ２１の画面例を示す。棚ブラウザ２１の画面には，利用者の棚，利用者情報登録・変更ボタンなどが表示される。
【００６５】
利用者の棚には，アイテムブラウザ２２に表示されるアイテムリストから利用者が選択したアイテム２３が配置される。利用者がアイテムを選択していない場合には，空の棚が棚ブラウザ２１に表示される。
【００６６】
クライアント２には，棚ブラウザ２１とアイテムブラウザ２２とが表示される。アイテムブラウザ２２に表示されたアイテムリストから自分の棚へアイテム２３を配置する操作は，マウス等のポインティングデバイスがある装置では容易なマウス操作（例えばアイテムのドラッグアンドドロップ）のみで行うことができる。
【００６７】
具体的には，図８に示すアイテムブラウザ２２に表示されたアイテムａをドラッグし，棚ブラウザ２３の棚の最上段の左端でドロップすることにより，ドロップされた棚ブラウザ２１とアイテムブラウザ２２との間のアプレット間通信を行って，アイテムａ自身（アプレット）を棚ブラウザ２１にコピーする。これにより，利用者は，アイテムブラウザ２２のアイテムａを自分の棚に自由に配置でき，注文時には棚に配置してあるアイテムａをクリックするだけで注文することができる。
【００６８】
なお，棚の中でアイテムａをドラッグすることによりアイテムの配置を自由に変更することもできる。
【００６９】
図９に，ドラッグアンドドロップによるアイテムのコピー処理の流れおよびそのＪａｖａのコード例を示す。
【００７０】
アイテムブラウザ２２側で，ドラッグオブジェクト初期化として，ドラッグオブジェクトをインスタンス化しておく（ステップＳ１）。
【００７１】
同様に，棚ブラウザ２１側で，ドロップオブジェクト初期化として，ドロップオブジェクトをインスタンス化しておく（ステップＳ２）。
【００７２】
アイテムブラウザ２２で，アイテムのドラッグ開始，すなわち，オブジェクトドラッグイベントが発生すると，棚ブラウザ２１に所定のデータを通信する。ここで，アイテムＩＤを通信データ（dataITEMID）とする（ステップＳ３）。
【００７３】
棚ブラウザ２１では，オブジェクトのドラッグ位置が自ブラウザ域に入ったら，アイテムブラウザ２２からの通信を受け付けてドロップ受入許可を発し（ステップＳ４），オブジェクトドロップイベントが発生すると，ドロップオブジェクトのドラッグ情報（アイテムＩＤ）を取得し，アイテムブラウザ２２側へオブジェクトドロップ終了を通知する（ステップＳ５）。アイテムブラウザ２２では，オブジェクトドロップ終了イベントが発生すると，オブジェクトドラッグの処理を終了する（ステップＳ６）。
【００７４】
アイテム２３のドラッグアンドドロップが完了すると，アイテムＩＤのようなテキストデータを通信データとし，その後にアイテムＩＤをもとに必要なデータ（画像データ，商品仕様など）を取得要求するようにして，ドラッグアンドドロップにおける通信データ量を抑えてアイテム２３のコピー処理を短時間で行えるようにする。
【００７５】
クライアント２から仲介サーバ１へ，アイテムブラウザ２２から棚ブラウザ２１へアイテム２３がドロップされたことが通知される。仲介サーバ１では，棚データベース更新手段１４により，棚ブラウザ２１へ配置されたアイテム２３のアイテムＩＤ，アイテムデータベース３へのポインタが，棚の利用者の情報と対応付けて棚データベース４に記憶される。
【００７６】
また，利用者は，図８に示す棚ブラウザ２１の画面の利用者情報登録・変更ボタンを選択して利用者情報の登録または変更を行うことができる。仲介サーバ１では，利用者情報登録・変更ボタンがマウスクリックにより選択されると，別の利用者情報登録・変更画面（図示しない）を表示して利用者の入力を促すようにする。クライアント２では，入力された情報を仲介サーバ１へ通知し，棚データベース更新手段１４では，棚データベース４の利用者管理部４１に記憶される情報（ユーザ名，連絡先，納入先住所，決済方法など）を登録または更新する。
【００７７】
また，利用者により，希望価格，希望納期，数量，即時注文情報，優先店名，排除店名などの注文条件が入力され，入力がクライアント２から通知された場合には，棚データベース更新手段１４では，これらの情報も棚データベース４に登録する。
【００７８】
また，棚ブラウザ２１に複数のアイテム２３が配置されている場合に，アイテムをグループ分けして登録することができる。図１０に示すように，グループ分けは，棚ブラウザ２１に配置された該当するアイテムを利用者が選択し，グループ登録ボタンなどを選択することにより行う。例えば，アイテムａとアイテムｄとを一つのグループにして登録されている場合に，利用者によりアイテムａまたはアイテムｄのいずれか一方が選択されると，アイテム処理起動処理手段１５では，グループとして登録されたすべてのアイテム（アイテムａおよびアイテムｄ）について一括して注文処理の起動処理をする。
【００７９】
図１１に，アイテム登録時の処理フローを示す。仲介サーバ１側では，棚ブラウザ２１に棚を表示するための情報（棚情報）を送信し（ステップＳ１１），アイテムブラウザ２２にアイテムリストを表示するための情報（アイテム情報）を送信すると（ステップＳ１２），クライアント２側の棚ブラウザ２１では棚を表示し（ステップＳ１３），アイテムブラウザ２２ではアイテムリストを表示する（ステップＳ１４）。
【００８０】
アイテムブラウザ２２では，利用者のマウス操作により，アイテム２３のドラッグ動作が開始されると（ステップＳ１５），そのアイテム２３のアイテムＩＤを通信データとし（ステップＳ１６），「マウス移動中」を棚ブラウザ２１に通信しながら，棚ブラウザ２１内でアイテム２３のドロップを行う（ステップＳ１７，Ｓ１８）。
【００８１】
棚ブラウザ２１では，アイテムブラウザ２２からの「マウス移動中」の通信を受け付けながらアイテム２３のドロップ情報を待ち（ステップＳ１９〜Ｓ２１），アイテム２３がドロップされたら（ステップＳ２２），通信データであるアイテムＩＤを取得して，アイテムＩＤをもとに仲介サーバ１に対しアイテム２３に関する情報を要求する（ステップＳ２３）。仲介サーバ１では，要求を受け付けて，アイテムデータベース３から該当するアイテム２３の画像データ，商品仕様を抽出して送信する（ステップＳ２４）。棚ブラウザ２１では，仲介サーバ１からアイテム２３の画像データ，商品仕様を取得して（ステップＳ２５），棚にアイテム２３’を表示する（ステップＳ２６）。
【００８２】
また，仲介サーバ１では，該当するアイテムＩＤと抽出したアイテム２３’に関する情報へのポインタ（アイテムデータベース３へのポインタ）を棚データベース４のアイテム管理部４２へ追加登録する（ステップＳ２７）。
【００８３】
〔注文時の処理〕
利用者が自分の棚に配置したアイテム２３’を注文する場合には，以下のような操作を行う。
【００８４】
棚データベース更新手段１４では，アイテム２３がドロップされた際に，アイテムＩＤとアイテムデータベース３へのポインタを棚データベース４へ記憶しておき，棚情報送信手段１３では，棚データベース４のアイテムデータベース３へのポインタを用いて，アイテムデータベース３からアイテム２３の画像データ，商品仕様を抽出して棚ブラウザ２１に送信するので，次に利用者が自分の棚を棚ブラウザ２１に表示させるときには，アイテム２３’が配置された棚が表示される。
【００８５】
図１２に，表示させた棚ブラウザ２１の画面例を示す。棚ブラウザ２１には，アイテム２３’としてパソコンとプリンタとが配置されているとする。利用者が注文したいアイテム（パソコン）２３’をマウスによりクリックすると，仲介サーバ１へアイテム（パソコン）２３’のアイテムＩＤが通知される。
【００８６】
仲介サーバ１では，アイテム処理起動処理手段１５により，棚データベース４へアクセスし，利用者管理部４１に記憶されている利用者の情報（ユーザ名，連絡先，納入先住所，決済方法など）とアイテム管理部４２に記憶されているアイテムの管理情報（希望価格，希望納期，数量，即時注文情報，優先店名，排除店名など）とを抽出する。さらに，アイテム管理部４２のアイテムＩＤとアイテムデータベース３へのポインタにより，アイテムデータベース３の店情報部３２からパソコンの注文先である店の情報（店名，店ＵＲＬ，価格情報，納品日，在庫情報，特記情報など）を抽出する。
【００８７】
ここで，アイテム情報管理部４２の即時注文情報に即時注文が設定されている場合に，抽出した希望価格，優先店名をキーに抽出した店の情報を調べ，注文条件に合致する店の店ＵＲＬへアクセスして，希望価格，希望納期，数量などのデータを通知して，アイテム（パソコン）２３’の注文処理の起動処理をする。
【００８８】
一方，即時注文情報が設定されていない場合には，図１３に示すような注文確認画面を表示して，利用者が注文確認ボタンをクリックなどして選択した場合には，同様の処理を行う。
【００８９】
また，注文条件（希望価格，希望納期，数量など）が棚データベース４に未設定の場合または変更がある場合には，図１３に示す注文確認画面を表示して，アイテム２３’の画像データや商品仕様などのデータを表示し，利用者に対し，注文条件の入力または変更を促す。注文条件が仲介サーバ１に通知されると，アイテム処理起動処理手段１５では，通知された注文条件にもとづいて注文処理の起動処理をする。
【００９０】
図１２に示す棚ブラウザ２１の上段左側のアイテム（パソコン）２３’がクリックされた場合に，アイテム管理部４２に即時注文が設定されていないときは，図１３に示すような注文確認画面が表示される。注文確認画面において，注文条件（希望価格，希望納期，数量など）が入力され，「注文確認」が利用者のマウスクリックなどにより選択された場合には，店情報部の店ＵＲＬをアクセスして注文処理の起動処理をする。
【００９１】
「オークション」が選択された場合には，アイテムデータベース３の店情報部３２に記憶された複数の店に対して見積りを要求し，各店から見積りを取得する。アイテム管理部４２に記憶された希望価格，希望納期などの注文条件に最も合致する見積りを提示した店の店ＵＲＬにアクセスして注文処理の起動処理を行う。また，見積りを提示したが注文処理を行わなかったその他の店に対し，オークションに敗退した旨とその理由（価格不一致，納期不一致など）を通知する。これにより，店情報部３２に登録されている店は，利用者の注文条件の傾向を知ることができる。
【００９２】
注文ログ収集手段１６では，注文ログまたはオークションログを収集し，また，収集したログデータを集計処理もしくは分析処理を行ってその結果を店などに対して出力する。
【００９３】
図１４に，アイテム注文時の処理フローを示す。仲介サーバ１では，棚ブラウザ２１に棚を表示するための情報（棚情報）をクライアント２へ送信し（ステップＳ３１），クライアント２の棚ブラウザ２１では，自分の棚を表示する（ステップＳ３２）。利用者が棚のアイテム２３’をクリックすると（ステップＳ３３），仲介サーバ１は，棚データベース４のアイテム管理部４２から情報を取得し（ステップＳ３４），アイテムＩＤをキーとして取得したアイテムデータベース３のポインタにより，アイテムデータベース３の店情報部３２から対応する店の情報を取得する（ステップＳ３５）。オークションが選択されていれば（ステップＳ３６），オークション処理を行う（ステップＳ３７）。オークションが選択されていなければ，即時注文が設定されているかどうかを調べ（ステップＳ３８），即時注文が設定されていない場合には，クライアント２へ注文確認画面を送信する（ステップＳ３９）。
【００９４】
クライアント２では，注文確認画面を表示し（ステップＳ４０），利用者により入力された注文条件を仲介サーバ１へ送信する（ステップＳ４１）。仲介サーバ１では，受信した情報によりアイテム管理部４２の注文条件を更新して（ステップＳ４２），その情報をもとに設定された店へ注文する。すなわち，その店ＵＲＬへアクセスし注文処理の起動処理を行う（ステップＳ４３）。その後注文ログを採取する（ステップＳ４４）。
【００９５】
オークション処理としては，図１５に示すような処理を行う。図１５（Ａ）に，オークション処理の処理フローを示す。
【００９６】
仲介サーバ１のアイテム処理起動処理手段１５では，アイテム管理部４２の情報から，希望価格，希望納期，数量などを抽出し（ステップＳ５１），店情報部３２に記憶されている各店へアクセスして見積りを依頼する（ステップＳ５２）。取得した見積りがアイテム管理部４２に記憶された注文条件にマッチする店に対して注文依頼（注文処理を起動処理）する（ステップＳ５３）。その後，注文しなかった店に対し敗退の旨とその理由を通知し（ステップＳ５４），利用者に注文完了を通知し（ステップＳ５５），その後オークションログを採取する（ステップＳ５６）。
【００９７】
図１５（Ｂ）に，別のオークション処理の処理フローを示す。仲介サーバ１のアイテム処理起動処理手段１５では，アイテム管理部４２の情報から，希望価格，希望納期，数量などを抽出し（ステップＳ６１），店情報部３２に登録された各店へアクセスし各店のサイトのＨＴＭＬコードを取得し，抽出した情報に対応するＨＴＭＬコードを解析してアイテム名に対応する価格情報を取り出す（ステップＳ６２）。図１５（Ｃ）に抽出するＨＴＭＬコードの例を示す。例えば，図１３に示すような商品仕様のパソコンが注文対象である場合に，図１５（Ｃ）のＨＴＭＬコードから，アイテム名「ＡＢＣパソコン」をキーに，「￥１４９，８００」を価格データとして抽出する。
【００９８】
各店からステップＳ６２の処理により抽出した価格データを比較して，最も安い価格の店に対して注文依頼する（ステップＳ６３）。その後，注文しなかった店に対して敗退の旨と落札価格を提示し（ステップＳ６４），利用者に注文価格と注文完了を通知し（ステップＳ６５），その後オークションログを採取する（ステップＳ６６）。
【００９９】
以上の説明では，アイテム２３は予め定めた注文処理を起動させるための商品を表示するアプレットであるが，注文処理に限らず注文処理以外にも予め定めたアプリケーション処理を起動処理するアプレットであってよい。図１６に，別の実施の形態として，アイテムが商品でない場合の棚ブラウザ７１とアイテムブラウザ７２の画面の例を示す。
【０１００】
アイテムブラウザ７２には，クライアント２とネットワークで接続されたサーバ上で処理を行う種々のアプリケーション処理に対応するアイテム７３がリストとして表示されている。表示されたアイテムリストから利用者が所望するアイテム７３を棚ブラウザ７１にドラッグアンドドロップし，アイテム７３を棚に配置して登録する。例えば，登録時にアイテムブラウザ７２に表示された経費管理アイテムを棚ブラウザ７１にドラッグアンドドロップして配置しておく。処理時には，利用者は棚ブラウザ７１を表示させて，棚に配置された経費管理のアイテム７３’をクリックするだけで，経費管理処理を起動させることができる。
【０１０１】
以上，本発明をその実施の態様により説明したが，本発明はその主旨の範囲において種々の変形が可能である。例えば，本発明の実施の形態では，棚データベース４は，仲介サーバ１側に備えるものとして説明したが，棚データベース４は利用者の使用するクライアント２側に備えることもできる。
【０１０２】
また，アイテムデータベース３，棚データベース４は，仲介サーバ１がアクセスできるネットワーク上に備えることもできる。
【０１０３】
本発明では，利用者は，あらかじめ用意されたアイテムリストから自分の棚へ必要なアイテムを容易に登録・移動・削除を動的に行うことにより，アイテムの情報を自由にクライアントで表示されるブラウザ画面上に配置することができる。また，アイテムを配置する時に，そのアイテムの注文条件（希望価格，希望納期など）を指定することができる。
【０１０４】
また，利用者が自分の棚に配置されたアイテムの管理情報としてそのアイテムの店の情報などへのポインタが記憶され，アイテムが選択されて仲介サーバに注文条件などが送信されると，あらかじめ棚データベース４に登録されている利用者の情報を元にそのアイテムの店の情報（注文先）を抽出して自動的に注文処理の起動処理をする。よって，利用者は棚に配置されたアイテムを選択するだけで，注文条件を入力することなく注文処理を行うことができる。
【０１０５】
また，自分の棚に登録しているアイテムをグループ化することができるため，グループ化したアイテムを一括して注文処理をすることができる。
【０１０６】
また，１つのアイテムの注文先は複数の店でもよいため，一旦複数の注文先に見積りを要求し，取得した見積りをあらかじめ定義された注文条件と比較し，見積もりが注文条件に合致した注文先に注文処理を行うようにすることができる。
【０１０７】
また，利用者は，予め発注先から除外したい特定の注文先を登録することができるため，発注やオークションの際に特定の店を排除して注文処理をすることができる。
【０１０８】
また，アイテムデータベースに販売促進情報を付加することにより，注文先（店）は，発注者に販売促進情報を提供することができる。また，利用者は注文に先立ってその情報を参照することができる。
【０１０９】
また，本発明では，仲介サーバがクライアントへ送信するアイテムリストや利用者の棚についての情報はウェブブラウザで表示可能なものである。よって，ＰＤＡ，パソコンなどのように機種にかかわらずウェブブラウザが起動する端末であれば，利用者はその端末に自分の棚を表示させてアイテムを注文することができる。
【０１１０】
また，利用者の注文情報をロギングすることができるため，このログデータからの集計結果または分析結果（例えば注文条件から利用者の購買行動の傾向についての分析結果）を用いて，店は利用者に応じた販売促進活動が行うことができる。
【０１１１】
また，利用者は，棚データベースの利用者の情報を適宜更新することができ，納入先，支払い方法等が変化しても対応することができる。
【０１１２】
また，棚データベースにアイテム状況が記憶されるため，利用者は，現在のアイテムの状況（出荷待ち，配送済等）を把握することができ，また店は，利用者に現在のアイテム残量等によって次回の発注を促すことが可能である。
【０１１３】
また，棚ブラウザのアイテム選択により注文処理以外のアプリケーション処理を起動させて利用することが可能である。
【０１１４】
本発明の形態および実施例の特徴を列記すると以下のとおりである。
（付記１）  あらかじめ一または複数の注文先である店の情報に対応づけられたアイテムの情報にもとづいて，ネットワークで接続されている端末に一または複数のアイテムを表示させるためのアイテム画面情報を作成し，前記端末へ前記アイテム画面情報を送信するアイテム情報送信処理過程と，
利用者ごとにアイテムの注文に関するアイテムの管理情報を記憶する棚情報データベースにもとづいて，前記端末に利用者が選択したアイテムを配置する棚を表示させるための棚画面情報を作成し，前記端末へ前記棚画面情報を送信する棚情報送信処理過程と，
前記端末において前記アイテム画面情報からアイテムが選択されたとき，もしくは，前記棚画面情報からアイテムが削除されたときに，前記棚情報データベースの前記アイテムの管理情報を更新する棚情報データベース更新処理過程と，
前記端末において前記棚画面情報からアイテムが注文対象として選択されたときに，当該アイテムの前記アイテムの管理情報にもとづいて注文処理を起動する注文処理起動処理過程とを備える
ことを特徴とするアイテム注文処理方法。
（付記２）  付記１に記載のアイテム注文処理方法において，
前記棚情報データベース更新処理過程では，前記利用者ごとの指定に応じて複数のアイテムをグループ化して記憶し，
前記注文処理起動処理過程では，グループ化して記憶された一のアイテムが注文対象として選択されたときは, グループ化されたすべてのアイテムについて注文処理を起動する
ことを特徴とするアイテム注文処理方法。
（付記３）  付記１に記載のアイテム注文処理方法において，
前記注文処理起動処理過程では，前記店の情報の複数の注文先に対して見積もりを要求し，前記アイテムの管理情報と比較して合致した注文先への注文処理を起動する
ことを特徴とするアイテム注文処理方法。
（付記４）  付記１に記載のアイテム注文処理方法において，
前記棚情報データベース更新処理過程では，前記端末からの入力情報にもとづき前記利用者の情報を更新する
ことを特徴とするアイテム注文処理方法。
（付記５）  付記１に記載のアイテム注文処理方法において，
注文処理の起動処理が行われた後に，当該注文処理のログデータを収集し，前記データを集計処理または分析処理した結果を出力する注文ログ集計処理過程とを備える
ことを特徴とするアイテム注文処理方法。
（付記６）  付記３に記載のアイテム注文処理方法において，
前記棚情報データベースは，アイテムの管理情報として注文先として扱わない排除店情報を含むものであり，
前記注文処理起動処理過程では，前記アイテム情報データベースの店の情報をもとにアイテムの見積もりを要求する場合に，前記見積り要求先から前記排除店情報の注文先を排除する
ことを特徴とするアイテム注文処理方法。
（付記７）  あらかじめ処理プログラムの起動情報と対応づけられたアイテムの情報にもとづいて，ネットワークで接続されている端末に一または複数のアイテムを表示させるためのアイテム画面情報を作成し，前記端末へ前記アイテム画面情報を送信するアイテム情報送信処理過程と，
利用者ごとにアイテムの管理情報を記憶する棚情報データベースにもとづいて，前記端末に利用者が選択したアイテムを配置する棚を表示させるための棚画面情報を作成し，前記端末へ前記棚画面情報を送信する棚情報送信処理過程と，
前記端末において前記アイテム画面情報からアイテムが選択されたとき，もしくは，前記棚画面情報からアイテムが削除されたときに，前記棚情報データベースの前記アイテムの管理情報を更新する棚情報データベース更新処理過程と，
前記端末において前記棚画面情報からアイテムが処理実行対象として選択されたときに，当該アイテムの処理プログラムを起動する注文処理起動処理過程とを備える
ことを特徴とするアイテム処理起動処理方法。
（付記８）  ネットワークで接続されたサーバで作成された，あらかじめ一または複数の注文先である店の情報に対応づけられたアイテムの情報にもとづいて，端末に一または複数のアイテムを表示させるためのアイテム画面情報を受信するアイテム情報受信処理過程と，
前記サーバで作成された，利用者ごとにアイテムの注文に関するアイテムの管理情報を記憶する棚情報データベースにもとづいて，端末に利用者が選択したアイテムを配置する棚を表示させるための棚画面情報を受信する棚情報受信処理過程と，
前記端末において前記アイテム画面情報および前記棚画面情報を表示し，前記アイテム画面情報からアイテムが選択されたとき，もしくは，前記棚画面情報からアイテムが削除されたときに，前記棚情報データベースの前記アイテムの管理情報を更新するための情報を前記サーバへ送信する棚情報データベース更新情報送信処理過程と，
前記棚画面情報からアイテムが注文対象として選択されたときに，当該アイテムの管理情報を前記サーバへ送信するアイテム情報送信処理過程とを備える
ことを特徴とするアイテム注文処理方法。
（付記９）  あらかじめ一または複数の注文先である店の情報に対応づけられたアイテムの情報にもとづいて，ネットワークで接続されている端末に一または複数のアイテムを表示させるためのアイテム画面情報を作成し，前記端末へ前記アイテム画面情報を送信するアイテム情報送信処理と，
利用者ごとにアイテムの注文に関するアイテムの管理情報を記憶する棚情報データベースにもとづいて，前記端末に利用者が選択したアイテムを配置する棚を表示させるための棚画面情報を作成し，前記端末へ前記棚画面情報を送信する棚情報送信処理と，
前記端末において前記アイテム画面情報からアイテムが選択されたとき，もしくは，前記棚画面情報からアイテムが削除されたときに，前記棚情報データベースの前記アイテムの管理情報を更新する棚情報データベース更新処理と，
前記端末において前記棚画面情報からアイテムが注文対象として選択されたときに，当該アイテムの注文処理を起動する注文処理起動処理とを，
コンピュータに実行させる
ことを特徴とするアイテム注文処理プログラム。
（付記１０）  あらかじめ処理プログラムの起動情報と対応づけられたアイテムの情報にもとづいて，ネットワークで接続されている端末に一または複数のアイテムを表示させるためのアイテム画面情報を作成し，前記端末へ前記アイテム画面情報を送信するアイテム情報送信処理と，
利用者ごとにアイテムの管理情報を記憶する棚情報データベースにもとづいて，前記端末に利用者が選択したアイテムを配置する棚を表示させるための棚画面情報を作成し，前記端末へ前記棚画面情報を送信する棚情報送信処理と，
前記端末において前記アイテム画面情報からアイテムが選択されたとき，もしくは，前記棚画面情報からアイテムが削除されたときに，前記棚情報データベースの前記アイテムの管理情報を更新する棚情報データベース更新処理と，
前記端末において前記棚画面情報からアイテムが処理実行対象として選択されたときに，当該アイテムの処理プログラムを起動する注文処理起動処理とを，
コンピュータに実行させる
ことを特徴とするアイテム処理起動処理プログラム。
（付記１１）  あらかじめ一または複数の注文先である店の情報に対応づけられたアイテムの情報にもとづいて，ネットワークで接続されている端末に一または複数のアイテムを表示させるためのアイテム画面情報を作成し，前記端末へ前記アイテム画面情報を送信するアイテム情報送信処理と，
利用者ごとにアイテムの注文に関するアイテムの管理情報を記憶する棚情報データベースにもとづいて，前記端末に利用者が選択したアイテムを配置する棚を表示させるための棚画面情報を作成し，前記端末へ前記棚画面情報を送信する棚情報送信処理と，
前記端末において前記アイテム画面情報からアイテムが選択されたとき，もしくは，前記棚画面情報からアイテムが削除されたときに，前記棚情報データベースの前記アイテムの管理情報を更新する棚情報データベース更新処理と，
前記端末において前記棚画面情報からアイテムが注文対象として選択されたときに，当該アイテムの注文処理を起動する注文処理起動処理とを，
コンピュータに実行させるプログラムを記録した
ことを特徴とするアイテム注文処理プログラム記録媒体。
（付記１２）  あらかじめ処理プログラムの起動情報と対応づけられたアイテムの情報にもとづいて，ネットワークで接続されている端末に一または複数のアイテムを表示させるためのアイテム画面情報を作成し，前記端末へ前記アイテム画面情報を送信するアイテム情報送信処理と，
利用者ごとにアイテムの管理情報を記憶する棚情報データベースにもとづいて，前記端末に利用者が選択したアイテムを配置する棚を表示させるための棚画面情報を作成し，前記端末へ前記棚画面情報を送信する棚情報送信処理と，
前記端末において前記アイテム画面情報からアイテムが選択されたとき，もしくは，前記棚画面情報からアイテムが削除されたときに，前記棚情報データベースの前記アイテムの管理情報を更新する棚情報データベース更新処理と，
前記端末において前記棚画面情報からアイテムが処理実行対象として選択されたときに，当該アイテムの処理プログラムを起動する注文処理起動処理とを，
コンピュータに実行させるプログラムを記録した
ことを特徴とするアイテム処理起動処理プログラム記録媒体。
（付記１３）  あらかじめ一または複数の注文先である店の情報に対応づけられたアイテムの情報にもとづいて，ネットワークで接続されている端末に一または複数のアイテムを表示させるためのアイテム画面情報を作成し，前記端末へ前記アイテム画面情報を送信するアイテム情報送信処理手段と，
利用者ごとにアイテムの注文に関するアイテムの管理情報を記憶する棚情報データベースにもとづいて，前記端末に利用者が選択したアイテムを配置する棚を表示させるための棚画面情報を作成し，前記端末へ前記棚画面情報を送信する棚情報送信処理手段と，
前記端末において前記アイテム画面情報からアイテムが選択されたとき，もしくは，前記棚画面情報からアイテムが削除されたときに，前記棚情報データベースの前記アイテムの管理情報を更新する棚情報データベース更新処理手段と，
前記端末において前記棚画面情報からアイテムが注文対象として選択されたときに，当該アイテムの注文処理を起動する注文処理起動処理手段とを備える
ことを特徴とするアイテム注文処理装置。
（付記１４）  あらかじめ処理プログラムの起動情報と対応づけられたアイテムの情報にもとづいて，ネットワークで接続されている端末に一または複数のアイテムを表示させるためのアイテム画面情報を作成し，前記端末へ前記アイテム画面情報を送信するアイテム情報送信処理手段と，
利用者ごとにアイテムの管理情報を記憶する棚情報データベースにもとづいて，前記端末に利用者が選択したアイテムを配置する棚を表示させるための棚画面情報を作成し，前記端末へ前記棚画面情報を送信する棚情報送信処理手段と，
前記端末において前記アイテム画面情報からアイテムが選択されたとき，もしくは，前記棚画面情報からアイテムが削除されたときに，前記棚情報データベースの前記アイテムの管理情報を更新する棚情報データベース更新処理手段と，
前記端末において前記棚画面情報からアイテムが処理実行対象として選択されたときに，当該アイテムの処理プログラムを起動する注文処理起動処理手段とを備える
ことを特徴とするアイテム処理起動処理装置。
【０１１５】
【発明の効果】
以上説明したように，本発明にかかる方法よれば，利用者は，予め用意されたアイテムリストから所望するアイテムを自分専用の棚に自由に配置して登録しておくことができ，以降，棚に配置されたアイテムをクリックするだけでそのアイテムの注文処理などが起動される。
【０１１６】
これにより，利用者ごとに最適なアイテム配置が行え，異なる店に対する注文操作を簡単でかつ統一した操作で効率的に行うことができ，特に同じアイテムを繰り返し注文する場合に注文操作の労力を軽減する効果を奏する。
【０１１７】
また，アイテムを取り扱う店側にとっても，利用者の注文情報を容易に収集・取得でき，利用者に最適な提案を行うことが可能となる。
【図面の簡単な説明】
【図１】本発明にかかる方法を実現するためのシステム構成例を示す図である。
【図２】アイテムデータベースのデータ構成例を示す図である。
【図３】棚データベースのデータ構成例を示す図である。
【図４】本発明の実施の形態におけるシステム構成例を示す図である。
【図５】ログイン画面の例を示す図である。
【図６】アイテムブラウザ画面の例を示す図である。
【図７】アイテムブラウザで表示するアイテムに関するＨＴＭＬコードの例を示す図である。
【図８】棚ブラウザ画面の例およびアイテム登録処理を説明するための図である。
【図９】アイテムのドラッグアンドドロップによるコピー処理を説明するための図である。
【図１０】アイテムのグループ分けを説明するための図である。
【図１１】アイテム登録時の処理フローを示す図である。
【図１２】アイテム注文時の処理を説明するための棚ブラウザ画面例を示す図である。
【図１３】アイテム注文時の処理を説明するための注文確認画面例を示す図である。
【図１４】アイテム注文時の処理フローを示す図である。
【図１５】オークション処理の処理フローを示す図である。
【図１６】別の実施の形態における棚ブラウザ画面とアイテムブラウザ画面の例を示す図である。
【符号の説明】
１  仲介サーバ
１１  登録処理手段
１２  アイテム情報送信手段
１３  棚情報送信手段
１４  棚データベース（ＤＢ）更新手段
１５  アイテム処理起動処理手段
１６  注文ログ収集手段
２  クライアント
２１  棚ブラウザ
２２  アイテムブラウザ
２３  アイテム
３  アイテムデータベース（ＤＢ）
４  棚データベース（ＤＢ）
９  インターネット
【図１】
0003984001.tif 000002
【図２】
0003984001.tif 000003
【図３】
0003984001.tif 000004
【図４】
0003984001.tif 000005
【図５】
0003984001.tif 000006
【図６】
0003984001.tif 000007
【図７】
0003984001.tif 000008
【図８】
0003984001.tif 000009
【図９】
0003984001.tif 000010
【図１０】
0003984001.tif 000011
【図１１】
0003984001.tif 000012
【図１２】
0003984001.tif 000013
【図１３】
0003984001.tif 000014
【図１４】
0003984001.tif 000015
【図１５】
0003984001.tif 000016
【図１６】
0003984001.tif 000017